(57)【特許請求の範囲】
【請求項１】
前後方向の長さが上下方向の長さよりも長い芝刈機本体の下面側に車輪、芝刈刃を位置させると共に後面に芝刈刃で刈った芝を排出するための排出開口部を設け、該排出開口部を設けた後面を収納時に芝刈機本体を接地させるための面とし、車輪を接地した芝刈機本体に対してハンドルを傾斜させた使用姿勢において芝刈機本体に集草かごを着脱自在に取付けるための使用時取付け部を設け、芝刈機本体の排出開口部側が下となるように接地し且つハンドルを起立させた収納姿勢において集草かごを着脱自在に取付けるための上記使用時取付け部とは別の収納時取付け部をハンドル又は芝刈機本体に設け、車輪を接地した使用姿勢において該排出開口部に前面側に前開口部を設けた集草かごの前開口部を連通させた状態で使用時取付け部により集草かごを着脱自在に取付けると共に、芝刈機本体に回動自在に取付けたハンドルを集草かごの上方位置において芝刈機本体側に行くほど下となるように傾斜姿勢とし、集草かごを取外した状態の排出開口部側が下となるようにして該排出開口部を設けた後面を接地すると共に芝刈刃が側方に露出するようにした収納姿勢においてハンドルを起立姿勢とし、該収納姿勢で収納時取付け部に着脱自在に取付けた集草かごで芝刈刃の側方に露出した部分を覆って成ることを特徴とする芝刈機。
【請求項２】
芝刈機本体に対してハンドルを使用姿勢から収納姿勢に回動する際に収納姿勢を越えてハンドルが回動するのを防止する収納姿勢ストッパ手段を設け、ハンドルに取付けたベルト又は紐の先端部に引掛け具を設け、収納姿勢でハンドルが収納姿勢ストッパ手段により収納姿勢を越えて回動するのが阻止された状態で引掛け具を芝刈機本体に設けた被引掛け部に着脱自在に引掛けることでハンドルの収納状態における起立姿勢を保持するように構成して成ることを特徴とする請求項１記載の芝刈機。
【発明の詳細な説明】
【技術分野】
【０００１】
本発明は、コンパクトに収納できると共に収納姿勢で簡単に芝刈かごを着脱することができる芝刈機に関するものである。
【背景技術】
【０００２】
芝刈機は、下面側に車輪、芝刈刃を位置させた芝刈機本体にハンドルを回動自在に取付け、芝刈機の使用時には車輪を接地した状態で、ハンドルを芝刈機本体に対して斜め後上方に向けて傾斜姿勢となるように芝刈機本体の後部より後上方に向けて突出させ、このように芝刈機本体の後上方に斜めに突出したハンドルを手に掴んで前に押すことで芝刈機本体を前進させて下面側に設けた芝刈刃で芝を切断するようになっている。このため、使用時には芝刈機本体の前端からハンドルの後端までの前後長さが長いものである。
【０００３】
したがって、この使用姿勢のまま、芝刈機を物置などに収納しようとした場合、前後長さが長く、広い収納面積が必要となるという問題がある。
【０００４】
このため、芝刈機の収納に当たっては、上記使用時に芝刈機本体の後部から後上方に突出していたハンドルを起立させて前後長さを短くした状態で収納するようにしたものが特許文献１により知られている。
【０００５】
上記特許文献１に示された芝刈機６は、図１２（ａ）に示すように芝刈機本体３の後部に集草かご５の前端部を着脱自在に取付け（芝刈機本体３に設けた使用時係止部に集草かご５に設けた使用時被取付け部を着脱自在に取付け）、車輪１を接地面１５に接地した状態でハンドル４を図１２の実線に示すように芝刈機本体３の後部から後上方に向けて傾斜して突出させ、ハンドル４の先端部のグリップ部３７を掴んで押すことで芝刈りを行うものであり、刈り取った芝は集草かご５に集め、集草かご５に溜まった芝を捨てる際はハンドル４を回動させて図１２（ａ）の想像線の姿勢又は起立姿勢にし、この状態で集草かご５を上方に引き上げることで取外して集草かご５内に溜まった芝をごみ袋などに捨て、空になった集草かご５は再び上方から下方に落とし込むことで芝刈機本体３の使用時係止部に取付けるようになっている。
【０００６】
そして、上記芝刈機の収納に当たっては、図１２（ｂ）に示すように、芝刈機本体３の後部に集草かご５を取付けた状態のまま芝刈機本体３及び集草かご５の上面に沿ってハンドル４を２つ折りにし、芝刈機本体３の前端部とハンドル４の先端部のグリップ部３７とが下となるような姿勢にしてハンドル４のグリップ部３７と芝刈機本体３の前端部とを接地面１５に接地すると共に集草かご５を取付けたままの芝刈機本体３及び２つ折りしたハンドル４を起立させて収納するようにしている。これにより収納姿勢における前後長さを短くして狭い収納面積で収納できるようになっている。この収納姿勢において集草かご５は芝刈機本体３に対して使用状態と同じ使用時係止手部に係止したままの状態で起立している。したがって、収納状態で集草かご５が芝刈機本体３と離れたばらばらの状態で収納されることがなくて収納がコンパクトにできるだけでなく、再使用する際に、集草かご５を探す必要がないという特徴を有している。
【０００７】
しかしながら、上記特許文献１に示された従来例のように、芝刈機本体３の後部に集草かご５を取付けた状態のまま芝刈機本体３及び集草かご５の上面に沿ってハンドル４を２つ折りにして起立させることで収納するものにおいては、収納姿勢のまま（つまり起立姿勢のまま）掃除や洗浄のために集草かご５を取外そうとしても、２つ折りにして集草かご５及び芝刈機本体３の上面に沿わせたハンドル４が邪魔になって集草かご５を芝刈機本体３から取外すことができない。
【０００８】
したがって、芝刈が終わって芝刈機を図１２（ｂ）のような収納姿勢にして収納した後、集草かご５の掃除や洗浄を行いたいと思った場合には、芝刈機をわざわざ図１２（ａ）の状態にしてハンドル４を図１２（ａ）の想像線の姿勢にして集草かご５を取外して掃除や洗浄をしなければならず、きわめて手間がかかるという問題がある。しかも、掃除や洗浄・洗浄後の乾燥が終わるまでの間、芝刈機を収納姿勢にしておくと、掃除や洗浄・洗浄後の乾燥が終わって再び集草かご５を芝刈機本体３に取付けには再度図１２（ａ）の状態にしてハンドル４を図１２（ａ）の想像線の姿勢にして集草かご５を取付け作業をしなければならず、きわめて作業が面倒となる。また、集草かご５の掃除や洗浄・洗浄後の乾燥が終わるまで芝刈機を使用姿勢のまま物置などに放置しておくと、場所を取り過ぎてしまうという問題があり、特に、集草かご５の洗浄・洗浄後の乾燥が終わるまでは数時間、あるいは半日程度かかる場合があり、このような場合はコンパクトに収納できないままの状態で芝刈機を物置などに放置しておかなければならないという問題がある。
【０００９】
また、上記特許文献１に示された従来例にあっては、図１２（ｂ）に示すように収納姿勢において芝刈刃２が側方に露出してしまうので、危険であり、更に、収納姿勢において、芝刈機本体３の前端部とハンドル４の先端部のグリップ部３７とが下となるような姿勢にしてハンドル４のグリップ部３７と芝刈機本体３の前端部の上下巾が狭い部位とを地面に接地するようにしているので、接地が不安定であり、更に、グリップ部３７が傷付いたり、汚れたりするという問題がある。特に、グリップ部３７には操作スイッチ等を設けるので、操作スイッチが汚れたり、傷付いたりする恐れがあり、汚れたり、傷付かないようにするにはグリップ部３７への操作スイッチの取付け位置が限定されてしまうという問題がある。
【特許文献１】特開平８−１７２８４３号公報
【発明の開示】
【発明が解決しようとする課題】
【００１０】
本発明は上記の従来の問題点に鑑みて発明したものであって、収納状態でハンドルが芝刈機本体から斜め上方に向けて突出することなく起立姿勢にすることで芝刈機をコンパクトな収納姿勢にできるにもかかわらず、収納姿勢で集草かごを着脱自在にできて、芝刈機の収納姿勢で収納かごを取外して掃除や洗浄・洗浄後の乾燥を行い、収納姿勢のまま掃除や洗浄・洗浄後の乾燥が終了した集草かごを取付けることが可能で、また、収納状態が安定し、ハンドルの先端部のグリップ部が破損したり、汚れたりすることがなく、また、収納状態で芝刈刃を集草かごで覆ってカバーできる芝刈機を提供することを課題とするものである。
【課題を解決するための手段】
【００１１】
上記課題を解決するために本発明に係る芝刈機は、前後方向の長さが上下方向の長さよりも長い芝刈機本体３の下面側に車輪１、芝刈刃２を位置させると共に後面に芝刈刃２で刈った芝を排出するための排出開口部１２を設け、該排出開口部１２を設けた後面を収納時に芝刈機本体３を接地させるための面とし、車輪１を接地した芝刈機本体３に対してハンドル４を傾斜させた使用姿勢において芝刈機本体３に集草かご５を着脱自在に取付けるための使用時取付け部７を設け、芝刈機本体３の排出開口部１２側が下となるように接地し且つハンドル４を起立させた収納姿勢において集草かご５を着脱自在に取付けるための上記使用時取付け部７とは別の収納時取付け部８をハンドル４又は芝刈機本体３に設け、車輪１を接地した使用姿勢において該排出開口部１２に前面側に前開口部１３を設けた集草かご５の前開口部１３を連通させた状態で使用時取付け部７により集草かご５を着脱自在に取付けると共に、芝刈機本体３に回動自在に取付けたハンドル４を集草かご５の上方位置において芝刈機本体３側に行くほど下となるように傾斜姿勢とし、集草かご５を取外した状態の排出開口部１２側が下となるようにして該排出開口部１２を設けた後面を接地すると共に芝刈刃２が側方に露出するようにした収納姿勢においてハンドル４を起立姿勢とし、該収納姿勢で収納時取付け部８に着脱自在に取付けた集草かご５で芝刈刃２の側方に露出した部分を覆って成ることを特徴とするものである。
【００１２】
このように収納時にハンドル４を起立させてコンパクトに収納できるのみならず、収納状態で集草かご５を取外して掃除や洗浄・洗浄後の乾燥を行い、その後、再び集草かご５を収納時取付け部８に取付けることができ、この間、芝刈機本体３、ハンドル４は収納姿勢のまま収納しておくことができ、収納時に芝刈機本体３、ハンドル４の収納姿勢を崩すことなく集草かご５を取外して簡単に掃除、洗浄でき、取付けもまた簡単にできる。特に、前後方向の長さが上下方向の長さよりも長い芝刈機本体３の下面側に車輪１、芝刈刃２を位置させると共に後面に芝刈刃２で刈った芝を排出するための排出開口部１２を設け、該排出開口部１２を設けた後面を収納時に芝刈機本体３を接地させるための面とし、集草かご５を取外した状態の排出開口部１２側が下となるようにして該排出開口部１２を設けた後面を接地すると共に芝刈刃２が側方に露出するようにした収納姿勢においてハンドル４を起立姿勢とし、該収納姿勢で収納時取付け部８に着脱自在に取付けた集草かご５で芝刈刃２の側方に露出した部分を覆うので、収納状態における前後巾を短くできて収納に必要な面積が狭くてよいものであり、しかも、このように収納状態における前後巾を短くするために排出開口部１２側が下となるように接地すると芝刈刃２が側方に露出して危険であるが、この側方に露出した芝刈刃２を収納姿勢で収納時取付け部８に着脱自在に取付けた集草かご５で覆うことで、芝刈刃２を隠して芝刈刃２の保護ができると共に芝刈刃２が露出することによる危険を回避できる。
【００１３】
また、芝刈機本体３に対してハンドル４を使用姿勢から収納姿勢に回動する際に収納姿勢を越えてハンドル４が回動するのを防止する収納姿勢ストッパ手段９を設け、ハンドル４に取付けたベルト１０又は紐の先端部に引掛け具１１を設け、収納姿勢でハンドル４が収納姿勢ストッパ手段９により収納姿勢を越えて回動するのが阻止された状態で引掛け具１１を芝刈機本体３に設けた被引掛け部６３に着脱自在に引掛けることでハンドル４の収納状態における起立姿勢を保持するように構成することが好ましい。
【００１４】
このような構成とすることで、収納時にベルト１０又は紐の先端部に設けた引掛け具１１を芝刈機本体３に設けた被引掛け部６３に引掛けることで、収納姿勢ストッパ手段９とベルト１０による保持とで収納時におけるハンドル４の起立姿勢を簡単に保持でき、収納時に外力が作用してもハンドル４が倒れたりせず、コンパクトな状態を維持して狭いスペースに安定して収納できる。
【発明の効果】
【００１７】
本発明は、収納状態でハンドルを起立させるので、コンパクトに収納でき、また、収納姿勢においてハンドル又は芝刈機本体に集草かごを着脱自在に取付けるための上記使用時取付け部とは別の収納時取付け部を設けると共に上記収納姿勢で上記収納時取付け部に収納かごを着脱自在に取付けるので、収納状態で集草かごを取外して掃除や洗浄・洗浄後の乾燥を行い、その後、再び集草かごを収納時取付け部に取付けることができ、この間、芝刈機本体、ハンドルは収納姿勢のままにしておくことができ、収納時に収納姿勢を崩すことなく集草かごを取外して簡単に掃除、洗浄ができ、掃除、洗浄が終わった収納かごの取付けも芝刈機本体、ハンドルの収納姿勢のまま簡単にできるという利点がある。また、収納状態における前後巾を短くできて収納に必要な面積が狭くてよいものであり、しかも、このように収納状態における前後巾を短くするために排出開口部側が下となるように接地すると芝刈刃が側方に露出して危険であるが、この側方に露出した芝刈刃を収納姿勢で収納時取付け部に着脱自在に取付けた集草かごで覆うことで、芝刈刃を隠して芝刈刃の保護ができると共に芝刈刃が露出することによる危険を回避できる。
【発明を実施するための最良の形態】
【００１８】
以下、本発明を添付図面に示す実施形態に基いて説明する。
【００１９】
芝刈機６は、図１乃至図４に示すように、車輪１と芝刈刃２を備えた芝刈機本体３にハンドル４を回動自在に設けると共に集草かご５を着脱自在に取付けて構成してある。
【００２０】
芝刈機本体３は内部にフレーム１４が設けてあり、このフレーム１４に車輪１が取付けてある。車輪１としては前車輪１ａと後車輪１ｂとがあり、前車輪１ａは後車輪１ｂよりも大径であって芝刈機本体３の前部の両側部に設けてある。後車輪１ｂはローラにより構成してあって芝刈機本体３の後部に設けてある。
【００２１】
芝刈刃２はフレーム１４に回転自在に取付けられたリール刃２ａと、フレーム１４に固定された固定刃２ｂとで構成してある。
【００２２】
図２に示すように、フレーム１４にはモータ１６が固定してあり、モータ１６に固定した小プーリ１７と、フレーム１４に回転自在に取付けた中間プーリ１８とにベルト１９が掛け回してあり、更に、中間プーリ１８とリール刃２ａの端部に固定した大プーリ２０とにベルト２１が掛け回してあり、モータ１６の回転を小プーリ１７、ベルト１９、中間プーリ１８、大プーリ２０を介してリール刃２ａに伝達して回転するようになっている。
【００２３】
芝刈機本体３の前部には図３に示すように上下に開口する上部又は全体が筒状をした挿入部２２が設けてあり、この挿入部２２の上端開口部に軸支部２３が設けてあり、回転体２４の下部を上記挿入部２２内に挿入して上記軸支部２３に回転自在に軸支してある。回転体２４の上部は挿入部２２の上端開口部より芝刈機本体３の前部上面側に突出している。回転体２４の上部は手で掴んで回転操作するための操作摘み部２５となっており、下部は外周に押すねじを刻設した雄ねじ部２６となっており、操作摘み部２５の下面部と雄ねじ部２６の上面部とで軸支部２３を回転自在に上下方向から挟持することで回転体２４が上記軸支部２３に回転自在に軸支してある。挿入部２２内の下部には内周に雌ねじ部２７ａを設けた上下移動筒体２７は挿入部２２に対して回転はできないが上下移動はできるように挿入してあって、雌ねじ部２７ａが回転体２４の雄ねじ部２６に螺合してある。
【００２４】
図３、図８に示すように、上下移動筒体２７の下面側には前後方向に隙間２９を介して対向する二対のリブ２８が下方に向けて垂設してあり、二対のリブ２８の下面間に架け渡すように下プレート３０をねじにより固定してある。
【００２５】
図４、図８に示すように、フレーム１４には芝刈機本体３の前部の左右に位置するフレーム１４に設けた軸受け部となる孔に中間部がコ字状に突曲したクランク軸３１の両端部を回転自在に嵌挿してあり、該クランク軸３１の中間部のコ字状に屈曲した先端の中間軸部３１ａが上記上下移動筒体２７の隙間２９間に上下方向には移動しないが回転自在且つ前後方向に移動自在に挿入してある。
【００２６】
図２、図８に示すように、上記クランク軸３１の両端部にはそれぞれ車輪取付け板３２の一端部が固定してあり、該車輪取付け板３２の他端部に前車輪１ａの中心に設けた回転軸３３が回転自在に取付けある。
【００２７】
ここで操作摘み部２５を回転操作して回転体２４を回転すると雄ねじ部２６に雌ねじ部２７ａを螺合した上下移動筒体２７が上下方向に移動する。この上下移動筒体２７の上下移動に連動してクランク軸３１の中間軸部３１ａが上下方向に移動しながら隙間２９内を前後方向に移動する。この中間軸部３１ａの動きはクランク軸３１のフレーム１４の軸受け部を中心にした回転運動であり、このため、クランク軸３１はフレーム１４の軸受け部を中心に回動する。クランク軸３１の回動により車輪取付け板３２が回動し、車輪取付け板３２の他端部が回転中心となった前車輪１ａがクランク軸３１の端部を回転中心として回動することで、前車輪１ａの上下高さが調整されることになる。
【００２８】
前車輪１ａ、リール刃２ａ、後車輪１ｂはいずれも外周部の一部が芝刈機本体３の下開口部３４より下方に突出している。リール刃２ａの外周下端は前車輪１ａの外周下端と後車輪１ｂの外周下端とを結ぶ線よりもやや上に位置しており、この条件を満たしながら前車輪１ａを上記のように上下高さ調整を行うことで、リール刃２ａの接地面１５からの高さ、つまり芝の刈り高さを調整するようになっている。
【００２９】
図２に示すように、芝刈機本体３の後部の上部にはハンドル４の下端部が回動自在に取付けてある。ハンドル４は、図１に示すように、棒状又はパイプ状をした一対のアーム部３５の上端を上横バー部３６により連結し、更に、上横バー部３６の両端部上面部にコ字状をしたグリップ部３７の両端部を連結部３７ａで連結し、グリップ部３７にはグリップ部３７に対して上下方向に移動自在にスイッチハンドル３９を重ねて取付け、更に、一対のアーム部３５の上部間（上横バー部３６よりもやや下方位置）にハンドルステー３８を架設して構成してある。上記スイッチハンドル３９はモータ１６をオン、オフするためのスイッチ（図示せず）を操作するためのものである。
【００３０】
ハンドル４の一対のアーム部３５の下端には軸部４０が設けてあり、芝刈機本体３の後部の両側上部に設けた軸受け部４１に上記一対のアーム部３５の下端の軸部４０を回動自在に取付けてある。
【００３１】
図１に示すように、軸部４０は一側面が開口した二重筒となっており、二重筒の外筒部４２ａと内筒部４２ｂとの間が外周面が円状をした軸受け部４１に回転自在に嵌り込むようになっている。軸部４０の外筒部４２ａの内周面には図１、図８に示すようにストッパ突部４３が突設してあり、軸受け部４１の円状をした外周面には周方向に所定の開き角度を介して収納姿勢用ストッパ突部４４と使用姿勢用ストッパ突部４５とが設けてあり、図２に示すようにハンドル４を後方向に所定角度回動して車輪１を接地面１５に接地した状態でハンドル４が芝刈機本体３の後部から斜め後上方に向けて傾斜した使用状態で、ストッパ突部４３が使用姿勢用ストッパ突部４５に当たるようになっており、上記使用姿勢用ストッパ突部４５とストッパ突部４３とで使用姿勢を越えてハンドル４が回動するのを阻止するための使用姿勢ストッパ手段４６を構成してあり、また、芝刈機本体３の後端面側を下にして芝刈機本体３を起立させる収納姿勢（図９、図１０）においてハンドル４が起立して上を向くように所定角度回動した収納状態で、ストッパ突部４３が収納姿勢用ストッパ突部４４に当たるようになっており、上記収納姿勢用ストッパ突部４４とストッパ突部４３とでハンドル４が収納姿勢を越えて回動するのを阻止するための収納姿勢ストッパ手段９を構成してある。
【００３２】
したがって、ハンドル４は使用姿勢用ストッパ突部４５がストッパ突部４３に当たる位置から、収納姿勢用ストッパ突部４４がストッパ突部４３に当たる範囲で回動自在となっている。
【００３３】
また、外筒部４２ａの内周面の上記ストッパ突部４３と略１８０°離れた位置に仮止用突起８０が設けてあり、軸受け部４１の外周面のストッパ突部４３の回動領域でない方の使用姿勢用ストッパ突部４５と収納姿勢用ストッパ突部４４との間の略中間部分に弧状突起８１が設けてあり、該弧状突起８１の頂部は凹部となっている。ここで軸部４０が合成樹脂製で弾性を有しているため上記仮止用突起８０は弾性を有している。そして、ハンドル４を上記回動範囲の略中間位置に位置させると弾性を有する仮止用突起８０が弧状突起８１の頂部の凹部に弾性的に係止することで仮保持されるようになっている。すなわち、車輪１を接地した使用姿勢でハンドル４をほぼ垂直に起立させた姿勢を仮保持することができる。この仮止用突起８０が弧状突起８１の頂部の凹部に弾性的に係合したり、係合を解除する際に、クリック音及びクリック感が発生するようにしている。
【００３４】
ハンドル４に設けたハンドルステー３８には柔軟性を有するベルト１０又は紐の一端部が取付けてあり、このベルト１０又は紐にはハンドルステー３８への取付け部の近くに収納時に集草かご５を着脱自在に係止するための収納時取付け部８となるフックが取付けてある。また、上記ベルト１０又は紐の他端部には引掛け具１１が取付けてある。
【００３５】
芝刈機本体３は前後方向の長さが上下方向の長さよりも長くなっており、この芝刈機本体３の後面に図５に示すように芝刈刃２で刈った芝を排出するための排出開口部１２を設けてある。芝刈機本体３の後面には前面側が開口した集草かご５が着脱自在に取付けられるようになっている。
【００３６】
芝刈機本体３の上面部の後端縁には図１、図３、図５、図６に示すように上方に向けて立ち上がり片４７が突設してあり、この立上がり片４７は芝刈機本体３の左右方向の中間部において切欠き部４８が形成してある。芝刈機本体３の上面部の左右方向の中間部の上記立上がり片４７よりも少し前位置に切欠き部４８の左右巾よりも巾広の突部４９が上方に向けて突設してある。上記切欠き部４８と対向する突部４９の後面との間に挿入孔５０が形成してある。また、芝刈機本体３の後面の左右両端部には縦方向の凹条部５１が形成してある。芝刈機本体３の内部の後上部には図７に示すようにスイッチ６０が設けてあり、スイッチ６０の横にはスイッチ６０をオン、オフさせるスイッチボタン６１が前後方向にスライド自在に設けてある。スイッチボタン６１の後端が上記挿入孔５０内に突出するようにばね６２によりばね力が付与してある。上記スイッチ６０はスイッチハンドル３９によりオン、オフ操作されるモータ１６の電源回路の途中に設けてあって、スイッチ６０がオフの場合は電源回路に給電されず、スイッチハンドル３９を操作してもモータ１６が駆動できないようになっており、一方、スイッチ６０がオンの場合は電源回路に給電され、スイッチハンドル３９を操作することでモータ１６を駆動できるようになっている。
【００３７】
集草かご５は図１、図１１に示すようにかご枠５２に変形性を有する袋６５を取付けて構成してある。かご枠５２は線材により形成してあり、矩形状をした上枠部５４の前端部の両端部から下方に向けて側枠部５５を突出し、両側枠部５５の下端から前方に向けて略コ字状をした下枠部５６を突出して構成してある。上枠部５４の前枠部５４ａの左右方向の中央部には把手５７が取付けてあり、把手５７に下方に向けて突出部５８が突設してあり、この突出部５８は前枠部５４ａよりも下方に突出している。かご枠５２に袋６５を取付けるには、前方が開口した袋６５の上面を矩形状の上枠部５４に取付け、更に、袋６５の前開口部１３の左右の側縁部、下縁部をそれぞれ左右の側枠部５５、下枠部５６にそれぞれ取付けてある。したがって、袋６５の後面、側面、下面は一部しかかご枠５２に取付けてないので、上枠部５４が上となるような姿勢では自重で垂れ下がるため袋を広げた状態となるが、収納の際に外力を加えて袋６５の後面、側面、下面をかご枠５２側に重ねるように折り畳むことができるようになってなっている。
【００３８】
ここで、前枠部５４ａ、左右両側枠部５３、突出部５８等が使用時に芝刈機本体３に集草かご５を係止する際の使用時被取付け部５９となっている。また、図１１（ａ）に示すように袋６５の前開口部１３の下縁部の左右方向の中間部には下枠部５６への取付け部分が設けてなく、このため、下枠部５６の左右方向の中間部は露出し、この下枠部５６の左右方向の中間部の袋６５を取付けていない部位が収納時に芝刈機本体３に集草かご５を係止する際の収納時被取付け部６４となっている。
【００３９】
使用時には、芝刈機本体３の後部に集草かご５を取付けた状態で芝刈機本体３の車輪１を接地面１５に接地し、ハンドル４を後上方に傾斜させストッパ突部４３を使用姿勢用ストッパ突部４５に当てた状態にする。この図２、図３に示す使用姿勢で、ハンドル４のグリップ部３７を手で掴んで押しながら芝刈機６を移動させると共にスイッチハンドル３９を操作してモータ１６を駆動して芝刈刃２により芝刈りを行い。芝刈刃２で刈り取った芝は排出開口部１２から集草かご５内に溜められるようになっている。
【００４０】
ここで、使用時に芝刈機本体３の後部に集草かご５を着脱するには、芝刈機本体３の車輪１を接地面１５に接地し、ハンドル４を起立させて仮止用突起８０が弧状突起８１の頂部の凹部に弾性的に係合してハンドル４の起立状態を保持した状態で、集草かご５の突出部５８を挿入孔５０に挿入係止すると共に前枠部５４ａを立ち上がり片４７と突部４９との間に嵌め込んで係止し、更に、左右の側枠部５３を芝刈機本体３の後面の左右両端部の凹条部５１に嵌め込んで係止することで、排出開口部１２に前開口部１３を連通させるように集草かご５を取付ける。つまり、集草かご５に設けた前枠部５４ａ、左右両側枠部５３、突出部５８よりなる使用時被取付け部５９を、芝刈機本体３に設けた挿入孔５０、立ち上がり片４７、突部４９、凹条部５１等よりなる使用時取付け部７に着脱自在に取付けるようになっている。突部４９が挿入孔５０に挿入されると図３に示すようにスイッチボタン６１が押され、スイッチ６０がオンになり、これによりスイッチハンドル３９を操作してモータ１６が駆動できる状態となっている。したがって、芝刈機本体３から集草かご５を取外した状態や、使用時取付け部７に使用時被取付け部５９を正しく取付けて芝刈機本体３に集草かご５が正しく取付けてない状態では、スイッチハンドル３９を操作してもモータ１６を駆動できないようになっていて、安全性を確保している。
【００４１】
このように使用時取付け部７に使用時被取付け部５９を正しく取付けることで芝刈機本体３に集草かご５を取付ると、図２、図３のようにハンドル４を斜め後上方に傾けた使用状態として前述のように芝刈りを行う。
【００４２】
一方、芝刈りが終わって、芝刈機６を収納する場合は、車輪１を接地した状態でハンドル４を起立させ、上記とは逆に集草かご５を上方に持ち上げることで使用時被取付け部５９の使用時取付け部７への取付けを解除して集草かご５を取外す。次に、上下高さよりも前後長さが長い芝刈機本体３を集草かご５を取外した状態の排出開口部１２側が下となるように接地面１５に接地すると共に芝刈刃２が側方に露出するように起立させて芝刈機本体３を収納姿勢とすると共に、ストッパ突部４３が収納姿勢用ストッパ突部４４に当たるまで回動して収納姿勢で起立するようにする。このように収納姿勢でハンドル４を起立させた状態で、図１０に示すように、ハンドル４に取付けたベルト１０又は紐の先端部の引掛け具１１を芝刈機本体３に設けた被引掛け部６３（実施形態では芝刈機本体３の下面開口の前端縁が被引掛け部６３となっている）に着脱自在に引掛けることで、収納姿勢ストッパ手段９と、上記ベルト１０又はひもによりハンドル４の収納状態における起立姿勢を保持する。
【００４３】
この芝刈機本体３、ハンドル４の収納姿勢において、ハンドル４又は芝刈機本体３に集草かご５を着脱自在に取付けるのであるが、添付図面に示す実施形態ではハンドル４に設けたベルト１０又はひもに設けた収納時取付け部８に集草かご５の収納時被取付け部６４を引掛け係止して取付けることで、図９のように集草かご５を取付けて収納できる。この場合、集草かご５の袋６５の後面、側面、下面をかご枠５２側に重ねるように折り畳むことで集草かご５をコンパクトにすると共に集草かご５で側面に露出している芝刈刃２を覆い、芝刈刃２の保護と安全性を確保している。
【００４４】
ここで、芝刈りが終わって、泥や芝草が付着している集草かご５を掃除したり、洗浄・洗浄後の乾燥を行う場合、芝刈機本体３、ハンドル４は上記のように収納姿勢にした状態で物置などに接地して収納し、集草かご５の掃除や洗浄・洗浄後の乾燥が終わった後に、集草かご５を上記のようにして収納時取付け部８に収納時被取付け部６４を引掛け係止するだけで簡単に取付けることができ、また、物置等に芝刈機本体３、ハンドル４を収納姿勢にして収納すると共に収納時取付け部８に収納時被取付け部６４を引掛け係止して取付けている場合に、後日、集草かご５を掃除したり、洗浄・洗浄後の乾燥を行う場合、収納時取付け部８から収納時被取付け部６４を外すことで簡単に取外すことができ、掃除や、洗浄・洗浄後の乾燥が終わると再び収納時取付け部８に収納時被取付け部６４を引掛け係止することで簡単に取付けることができるものである。しかも、この際、芝刈機本体３、ハンドル４は収納姿勢を保ったままできるので、掃除、洗浄するために集草かご５を着脱するのが極めて容易に行えることになる。
【００４５】
上記実施形態においては、芝刈機本体３が上下高さよりも前後長さが長いため収納の際は、集草かご５を取外した状態の排出開口部１２側が下となるように接地することで、収納時の前後長さを短くできて収納に必要な平面積を小さくして狭い所でも収納できるようにしているが、芝刈機本体３の上下高さが前後長さと同じ場合や上下高さが前後長さよりも長い場合には集草かご５を取外した芝刈機本体３の車輪１が接地させ、ハンドル４のみを起立させると共に、集草かご５を収納時取付け部８に収納時被取付け部６４を引掛け係止して取付けるようにしてもよい。この場合は、ハンドル４の収納姿勢用ストッパ突部４４がストッパ突部４３に当たる位置が仮止用突起８０が弧状突起８１の頂部の凹部に弾性的に係合する位置とほぼ同じ位置にある。
【図面の簡単な説明】
【００４６】
【図１】本発明の芝刈機の分解斜視図である。
【図２】同上の一部破断した側面図である。
【図３】同上の側断面図である。
【図４】同上の下面図である。
【図５】同上の集草かごを取外した状態の背面図である。
【図６】同上の集草かごを取外した状態の平面図である。
【図７】同上の要部の平断面図である。
【図８】同上の芝刈機本体の分解斜視図である。
【図９】同上の芝刈機本体及びハンドルの収納状態を示す側面図である。
【図１０】同上の芝刈機本体、ハンドル、集草かごの収納した状態の側面図である。
【図１１】同上に用いる集草かごを示し、（ａ）は平面図であり、（ｂ）は側面図である。
【図１２】（ａ）は従来例を示す使用状態の側面図であり、（ｂ）は収納状態の側面図である。
【符号の説明】
【００４７】
１  車輪
２  芝刈刃
３  芝刈機本体
４  ハンドル
５  集草かご
６  芝刈機
７  使用時取付け部
８  収納時取付け部
９  収納姿勢ストッパ手段
１０  ベルト
１１  引掛け具
１２  排出開口部
１３  前開口部
６３  被引掛け部
【図１】
0004497078.tif 000002
【図２】
0004497078.tif 000003
【図３】
0004497078.tif 000004
【図４】
0004497078.tif 000005
【図５】
0004497078.tif 000006
【図６】
0004497078.tif 000007
【図７】
0004497078.tif 000008
【図８】
0004497078.tif 000009
【図９】
0004497078.tif 000010
【図１０】
0004497078.tif 000011
【図１１】
0004497078.tif 000012
【図１２】
0004497078.tif 000013